(57)【特許請求の範囲】
【請求項１】
伝送路を介して映像音声信号送信装置に接続可能な映像音声信号受信装置であって、
前記映像音声信号受信装置が現在処理している映像信号の映像フォーマットを表す情報を更新可能に記憶する受信仕様格納部と、前記受信仕様格納部に記憶された映像フォーマットを表す情報を前記伝送路を介して前記映像音声信号送信装置に読み込ませるシステム制御部と、前記映像音声信号受信装置が現在処理している映像信号と前記映像音声信号送信装置から伝送された映像信号とを合成して出力する映像合成部とを備え、
前記映像音声信号送信装置から前記映像音声信号受信装置へ伝送されて前記映像合成部にて前記映像音声信号受信装置が現在処理している映像信号に合成する映像信号は、前記受信仕様格納部に記憶された前記映像音声信号受信装置が現在処理している映像フォーマットを表す情報に対応した映像信号であることを特徴とする映像音声信号受信装置。
【請求項２】
前記映像音声信号受信装置が処理可能な映像フォーマットを表す情報をあらかじめ複数記憶した複数受信仕様格納部を備え、
前記システム制御部は、前記映像音声信号受信装置が現在処理している映像信号の映像フォーマットを検出し、検出した映像フォーマットを表す情報を前記複数受信仕様格納部から読み出し、前記受信仕様格納部に記憶された情報を更新することを特徴とする請求項１記載の映像音声信号受信装置。
【請求項３】
ＨＤＭＩ（登録商標）規格に準拠した伝送信号を処理する映像音声信号受信部を備え、前記伝送路がＨＤＭＩ（登録商標）規格に準拠した伝送路であり、前記伝送路と前記映像音声信号受信部とが接続されることを特徴とする請求項１記載の映像音声信号受信装置。
【請求項４】
前記受信仕様格納部に記憶された映像フォーマットを表す情報は、ＥＤＩＤであることを特徴とする請求項３に記載の映像音声受信装置。
【請求項５】
伝送路を介して映像音声信号送信装置に接続可能な映像音声信号受信装置に用いられる制御方法であって、
現在前記映像音声信号受信装置が処理している映像信号の映像フォーマットを検出するステップと、検出した映像フォーマットを表す情報を記憶するステップと、記憶した情報
を前記映像音声信号送信装置に読み込ませるステップと、前記映像音声信号送信装置に読み込ませた前記映像音声信号受信装置が現在処理している映像フォーマットを表す情報に対応した映像信号を前記映像音声信号送信装置から受信した場合に、前記映像音声信号送信装置から受信した映像信号と前記現在前記映像音声信号受信装置が処理している映像信号とを合成して出力するステップとを含む、映像音声信号受信装置に用いられる制御方法。
【請求項６】
伝送路を介して映像音声信号送信装置に接続可能な映像音声信号受信装置に用いられる集積回路であって、
現在前記映像音声信号受信装置が処理している映像信号の映像フォーマットを検出するステップと、検出した映像フォーマットを表す情報を記憶するステップと、記憶した情報を前記映像音声信号送信装置に読み込ませるステップと、前記映像音声信号送信装置に読み込ませた前記映像音声信号受信装置が現在処理している映像フォーマットを表す情報に対応した映像信号を前記映像音声信号送信装置から受信した場合に、前記映像音声信号送信装置から受信した映像信号と前記現在前記映像音声信号受信装置が処理している映像信号とを合成して出力するステップとを実行する、映像音声信号受信装置に用いられる集積回路。
【発明の詳細な説明】
【技術分野】
【０００１】
本発明は映像音声信号受信装置から読み出した受信仕様に応じて出力する映像音声信号を確定する映像音声信号送信装置と、映像音声信号受信処理部と映像合成部とを有する映像音声信号受信装置と、前記映像音声信号送信装置および前記映像音声信号受信装置を接続するデジタルインタフェースの伝送路とからなる映像音声信号伝送システムにおける、映像音声信号受信装置および制御方法に関するものである。
【背景技術】
【０００２】
映像音声信号伝送規格の１つとして、デジタル化された映像音声データを伝送する規格のＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）が普及している（例えば非特許文献１参照）。
【０００３】
ＨＤＭＩ規格に準拠したＨＤＭＩケーブルの中には、映像音声のデジタル信号を伝送するＴＭＤＳ(Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ)ラインと、映像音声信号受信装置側の情報を伝送するＤＤＣ（Ｄｉｓｐｌａｙ  Ｄａｔａ  Ｃｈａｎｎｅｌ）ラインが存在する。
【０００４】
ＤＤＣラインを介して伝送される映像音声信号受信装置側の情報には、映像音声信号受信装置が受信処理可能な映像フォーマットや音声フォーマット、またそれらの優先順位からなる受信仕様を表す情報があり、その情報はＥＤＩＤ（Ｅｘｔｅｎｄｅｄ  Ｄｉｓｐｌａｙ  Ｉｄｅｎｔｉｆｉｃａｔｉｏｎ  Ｄａｔａ）と呼ばれる。映像音声信号送信装置は、ＤＤＣラインを介して前記ＥＤＩＤを参照することで、映像音声信号受信装置の優先映像フォーマットや優先音声フォーマットを判断し、ＴＭＤＳラインへ出力する映像音声信号を確定する動作を行う。
【０００５】
従来、不揮発性メモリに、複数の仕向け先または受信動作等に対応した、それぞれ異なるディスプレイ仕様を示す各種のＥＤＩＤ データを予め格納しておき、テレビジョン受信装置が設置されたとき、その場所に対応するディスプレイ仕様を示すＥＤＩＤデータを不揮発性メモリから取り出してＨＤＭＩ送受信部の内蔵メモリに記憶させるようにして、映像や音声等の信号の送信側となる電子機器から、ＥＤＩＤデータの取得要求があった場合には、ＨＤＭＩ送受信部は、その内蔵メモリに記憶されたＥＤＩＤデータを要求先の機器に送信することで、必要なディスプレイ仕様を与えることによって、複数種類の受信仕様毎にそれぞれ個別にＥＤＩＤデータを格納する必要がなくなり、製造作業や出荷作業等を容易化することが可能となる電子機器が知られている（例えば特許文献１参照）。
【先行技術文献】
【特許文献】
【０００６】
【特許文献１】特開２００６−１７９９７３号公報
【非特許文献】
【０００７】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【発明の概要】
【発明が解決しようとする課題】
【０００８】
しかしながら、映像合成部で地上デジタル放送の映像とＨＤＭＩ入力の映像音声信号（すなわち、ＴＭＤＳラインを介して受信したＨＤＭＩ規格に準拠したデジタルの映像音声
信号）の映像を２画面表示用の映像として合成し、ディスプレイ部で表示を行う場合、２つの映像フォーマットがＮＴＳＣもしくはＰＡＬで一致しているならば２画面表示の映像として合成が可能であるため、ディスプレイ部で２つの映像を２画面表示として同時に表示することが可能である。
【０００９】
しかしながら、地上デジタル放送の映像信号と、ＨＤＭＩ入力の映像信号とを２画面表示可能な映像音声信号受信装置に於いて、異なる映像フォーマット（例えばＮＴＳＣ（Ｎａｔｉｏｎａｌ  Ｔｅｌｅｖｉｓｉｏｎ  Ｓｙｓｔｅｍ  Ｃｏｍｉｔｔｅｅ）とＰＡＬ（Ｐｈａｓｅ  Ａｌｔｅｒｎａｔｉｎｇ  Ｌｉｎｅ））の入力映像を、同時に表示しようとしても、両者のフレームレート（すなわち１秒間に画面に表示する映像フレーム数）が異なるため、両映像を１つの画面で正しく表示することができない。
【００１０】
すなわち、ディスプレイに表示したい２つの映像フォーマットがＮＴＳＣとＰＡＬで不一致の場合、両映像を２画面表示の映像として合成することが不可能であるため、ディスプレイ部で２つの映像を２画面表示として同時に表示して観賞することが不可能である。そのため、従来の技術では、先行して表示されていた映像のみが表示され、後から選択された映像は表示できないという課題を有していた。
【００１１】
本発明は、上記の課題を解決するためになされたもので、映像音声信号送信装置から出力される映像フォーマットを、地上デジタル放送と一致した映像フォーマットにさせることにより、２画面表示が不可能となる状況を救済することを目的とする。
【課題を解決するための手段】
【００１２】
本発明に係る映像音声信号受信装置は、伝送路を介して映像音声信号送信装置に接続可能な映像音声信号受信装置であって、前記映像音声信号受信装置が現在処理している映像信号の映像フォーマットを表す情報を更新可能に記憶する受信仕様格納部と、前記受信仕様格納部に記憶された映像フォーマットを表す情報を前記伝送路を介して前記映像音声信号送信装置に読み込ませるシステム制御部と、前記映像音声信号受信装置が現在処理している映像信号と前記映像音声信号送信装置から伝送された映像信号とを合成して出力する映像合成部とを備え、前記映像音声信号送信装置から前記映像音声信号受信装置へ伝送されて前記映像合成部にて前記映像音声信号受信装置が現在処理している映像信号に合成する映像信号は、前記受信仕様格納部に記憶された前記映像音声信号受信装置が現在処理している映像フォーマットを表す情報に対応した映像信号であるようにしたものである。
【００１３】
また、本発明に係る制御方法は、伝送路を介して映像音声信号送信装置に接続可能な映像音声信号受信装置に用いられる制御方法であって、現現在前記映像音声信号受信装置が処理している映像信号の映像フォーマットを検出するステップと、検出した映像フォーマットを表す情報を記憶するステップと、記憶した情報を前記映像音声信号送信装置に読み込ませるステップと、前記映像音声信号送信装置に読み込ませた前記映像音声信号受信装置が現在処理している映像フォーマットを表す情報に対応した映像信号を前記映像音声信号送信装置から受信した場合に、前記映像音声信号送信装置から受信した映像信号と前記現在前記映像音声信号受信装置が処理している映像信号とを合成して出力するステップとを含む、を含むものである。
【発明の効果】
【００１４】
前記のような構成および方法によれば、予め対応映像フォーマットの優先順位を入れ替えた受信仕様を複数種類用意し（たとえばＮＴＳＣの優先順位の方がＰＡＬよりも高いＥＤＩＤ、たとえばＰＡＬの優先順位の方がＮＴＳＣよりも高いＥＤＩＤ）、複数受信仕様格納部へ格納しておき、先行出力の映像フォーマットが確定した段階で該当の映像フォーマットの優先順位が高い受信仕様を取り出し、前記取り出した受信仕様を受信仕様格納部に格納することにより、２画面表示する場合に映像音声信号送信装置は受信仕様に合わせて先行出力の映像フォーマットと同じ映像フォーマットの映像音声信号を選択して出力するため、２画面表示で映像を観賞することが可能となる。 
【図面の簡単な説明】
【００１５】
【図１】本発明の実施の形態１における映像音声信号伝送システムのブロック図
【図２】本発明の実施の形態１における映像音声信号伝送システムにおいて、ＮＴＳＣの映像フォーマットの地上デジタル放送の映像信号を先行出力している状態で２画面表示させる場合の動作フローチャート
【図３】本発明の実施の形態１における映像音声信号伝送システムにおいて、ＰＡＬの映像フォーマットの地上デジタル放送の映像信号を先行出力している状態で２画面表示させる場合の動作フローチャート
【発明を実施するための最良の形態】
【００１６】
（実施の形態１）
以下、本発明の実施の形態１における映像音声信号伝送システムについて図面を参照しながら説明する。図１は本発明の実施の形態１における映像音声信号伝送システム１のブロック図である。
【００１７】
図１において、映像音声信号受信装置１０は、アンテナ部２１と接続可能であり、このアンテナ２１が映像音声信号受信装置１０の内部に設けられたチューナ部２２に接続される。
【００１８】
映像音声信号受信装置１０にはチューナ部２２の他に、信号復調部２３、第１の映像音声信号処理部２４、音声再生部２５、映像音声信号受信部３１、第２の映像音声信号処理部３２、ＥＤＩＤ格納用メモリ部３３ｂ、映像合成部４０、ディスプレイ部５０、システム制御部６０ｂ、複数ＥＤＩＤ格納用メモリ部９０がそれぞれそ設けられている。
【００１９】
また、映像音声信号受信装置１０は、ＴＭＤＳライン７１およびＤＤＣライン７２を介して、映像音声信号送信装置８０と電気的に接続されている。
【００２０】
アンテナ部２１は、前記映像音声信号受信装置１０に接続され、地上デジタル放送の信号を受信する部位である。受信した地上デジタル放送の信号は、チューナ部２２に伝送される。
【００２１】
映像音声信号受信装置１０は、アンテナ部２１より受信した地上デジタル放送の映像音声信号を受信処理する地上デジタル放送処理ブロック２０（チューナ部２２，信号復調部２３，第１の映像音声信号処理部２４を含む）と、ＨＤＭＩ入力の映像音声信号を受信処理するＨＤＭＩ入力信号処理ブロック３０（映像音声信号受信部３１，第２の映像信号処理部３２）とを有し、処理された各々の映像信号を合成する映像合成部４０と、映像合成部４０にて合成された映像信号を表示するディスプレイ部５０を有する。
【００２２】
地上デジタル放送の映像信号とＨＤＭＩ入力の映像信号は映像合成部４０にて合成され、ディスプレイ部５０にて２画面表示を行う。また、音声再生部２５で、受信した地上デジタル放送やＨＤＭＩ入力の音声の再生を行う。
【００２３】
ただし２画面表示とは、異なる２つの映像信号（たとえば地上デジタル放送の映像信号とＨＤＭＩ入力の映像信号と）を合成して、同一のディスプレイ上に分割（たとえば左右に分割、あるいは上下に分割）して同時に表示することを示す。なお、１画面表示（すなわち１つの映像信号を１つのディスプレイ上に表示すること）と２画面表示はユーザー操作により任意で切替が可能であり、システム制御部６０ｂは映像合成部を制御することで、１画面表示と２画面表示の切替を管理する。
【００２４】
チューナ部２２では、アンテナ部２１で受信した地上デジタル放送の信号をチューニングし、所望の信号のみを選別する部位であり、チューナ部２２でチューニングされた地上デジタル放送の信号は、後段の信号復調部２３へ伝送される。
【００２５】
信号復調部２３では、チューナ部２２でチューニングされた信号を復調する部位であり、復調された地上デジタル放送の信号は、後段の第１の映像音声信号処理部２４へ伝送される。
【００２６】
第１の映像音声信号処理部２４は、信号復調部２３で復調された地上デジタル放送の映像音声信号を処理する部位であり、この第１の映像音声信号処理部にて映像信号と音声信号とに分離する。
【００２７】
第１の映像音声信号処理部２４にて分離された音声信号は、音声再生部２５に伝送され音声再生処理が行われる。第１の映像音声信号処理部２４にて分離された映像信号は後段の映像合成部４０へ伝送される。また、本第１の映像音声信号処理部２４にて映像音声信号の各々のフォーマットが検出される。
【００２８】
音声再生部２５では、第１の映像音声信号処理部および第２の映像音声信号処理部で分離された音声信号を再生する処理を行う。この処理動作は、システム制御部６０によって制御される。
【００２９】
映像音声信号受信部３１は映像音声信号送信装置８０とＴＭＤＳライン７１によって接続され、ＴＭＤＳライン７１を介して映像音声信号送信装置８０から送信される映像音声信号を受信する部位である。
【００３０】
受信したＨＤＭＩ入力の映像音声信号は、第２の映像音声信号処理部３２へ伝送される。
【００３１】
第２の映像音声信号処理部３２は、映像音声信号受信部３１で受信したＨＤＭＩ入力の映像音声信号を処理する部位であり、ここで映像信号と音声信号とに分離する。
【００３２】
第２の映像音声信号処理部３２にて分離された音声信号は、音声再生部２５に伝送され音声再生処理が行われる。同様に、第２の映像音声信号処理部３２にて分離された映像信号は後段の映像合成部４０へ伝送される。また、第２の映像音声信号処理部３２にて映像音声信号の各々のフォーマットが検出される。
【００３３】
映像合成部４０は、第１の映像音声信号処理部２４および前記第２の映像音声信号処理部３２で処理された２つの映像信号を合成処理する部位である。
【００３４】
映像合成部４０はシステム制御部６０ｂから２つの映像信号の映像フォーマット情報を取得し、映像の合成処理を行う。ただし、１画面表示の場合は、合成は行わず、１画面の映像信号として生成する。
【００３５】
ディスプレイ部５０は、映像合成部４０から受信した映像信号をディスプレイに表示するための部位である。ただし、ディスプレイ部５０は映像音声信号受信装置１０の内部に一体型に設けられていなくてもよく、外部に配置されたものと接続可能な構成としてもよい。
【００３６】
システム制御部６０ｂは、映像音声信号受信装置１０のシステム全体を制御するための部位であり、例えばＣＰＵ、ＲＯＭ及びＲＡＭを含む集積回路からなる。ＣＰＵは、ＲＯ
Ｍに格納されたコンピュータプログラムを、ＲＡＭを作業領域として使いながら実行することで少なくとも上述した各々の部位をコントロールする。
【００３７】
ＴＭＤＳライン７１は、ＨＤＭＩケーブル内に存在する伝送路であって、ＨＤＭＩ規格に基づいてデジタル化された映像音声信号を伝送する。ＴＭＤＳライン７１は、映像音声信号送信装置８０と、映像音声信号受信装置１０の映像音声信号受信部３１とを電気的に接続する。
【００３８】
ＤＤＣライン７２は、ＨＤＭＩケーブル内に存在する伝送路であって、ＨＤＭＩ規格に基づいて、映像音声信号受信装置１０の受信仕様を示すＥＤＩＤを映像音声信号送信装置８０へ伝送する。
【００３９】
ＤＤＣライン７２は、映像音声信号送信装置８０と映像音声信号受信装置１０のシステム制御部６０ｂとを接続しており、本ライン上にはまた、ＥＤＩＤが格納されたＥＤＩＤ格納用メモリ部３３ｂが接続されている。映像音声信号送信装置８０は、本ＤＤＣラインを介して、ＥＤＩＤ格納用メモリ部３３ｂに格納されているＥＤＩＤを取得し、映像音声信号受信装置１０の受信仕様を検出する。
【００４０】
本実施の形態において、ＥＤＩＤ格納用メモリ部３３ｂは、システム制御部６０ｂおよびＤＤＣライン７２とは別に、ＥＤＩＤ管理用ライン７３によってシステム制御部６０ｂに接続される。
【００４１】
ＥＤＩＤ格納用メモリ部３３ｂに格納されているＥＤＩＤは、ＥＤＩＤ管理用ライン７３を利用し、システム制御部６０ｂにより管理され、ＥＤＩＤの書き換え（更新）が行われる。
【００４２】
システム制御部６０ｂは、ＥＤＩＤ格納用メモリ部３３ｂおよびＤＤＣラインとは別のＥＤＩＤ管理用ライン７３で接続され、ＥＤＩＤ格納用メモリ部３３ｂに格納されているＥＤＩＤを管理する。
【００４３】
地上デジタル放送の映像フォーマットが第１の映像音声信号処理部２４から検出されたとき、該当検出された映像フォーマットの優先順位が高いＥＤＩＤを複数ＥＤＩＤ管理用メモリ部９０の中から選択し、ＥＤＩＤ格納用メモリ部３３ｂへ格納する。
【００４４】
ＥＤＩＤ管理用ライン７３は、システム制御部６０ｂとＥＤＩＤ格納用メモリ部３３ｂとを接続し、本ラインを通してＥＤＩＤ格納用メモリ部３３ｂに格納するＥＤＩＤを変更管理する。
【００４５】
複数ＥＤＩＤ格納用メモリ部９０は、ＥＤＩＤに含まれる対応映像フォーマットの優先順位を映像フォーマットに応じて入れ替えた複数種類のＥＤＩＤ（たとえばＮＴＳＣの優先順位の方がＰＡＬよりも高いＥＤＩＤや、ＰＡＬの優先順位の方がＮＴＳＣよりも高いＥＤＩＤ）を予め格納しておくためのメモリ部である。システム制御部６０ｂにより管理される。
【００４６】
映像音声信号送信装置８０は、デジタル化した映像音声信号を送信する機器であり、受信仕様伝送ライン７２を介して接続された映像音声信号受信装置１０内のＥＤＩＤ格納用メモリ部３３ａから、ＥＤＩＤを読み込み、映像音声信号受信装置１０の受信仕様に適した映像音声信号を、映像音声信号伝送ライン７１から送信する。
【００４７】
以上のように構成された映像音声信号伝送システムについて、以下にその処理動作を説
明する。
【００４８】
図２および図３は本発明の実施の形態１における映像音声信号伝送システムにおいて、地上デジタル放送の映像信号が既に先行してディスプレイ部５０に出力されている（先行出力している）状態で２画面表示に切替え、地上デジタル放送の映像と映像音声信号受信部で受信した映像を２画面表示させる場合の動作フローを示す動作フローチャートである。図２は地上デジタル放送の映像フォーマットが特にＮＴＳＣの場合の動作フローを示すフローチャートであり、図３は地上デジタル放送の映像フォーマットが特にＰＡＬの場合の動作フローを示すフローチャートである。
【００４９】
まず、地上デジタル放送の映像フォーマットが特にＮＴＳＣの場合の動作フローを図２のフローチャートを用いて以下に説明する。
【００５０】
システム動作開始時において、初期状態として地上デジタル放送の映像をディスプレイ部にて１画面表示するモードから開始する。なお、地上デジタル放送の映像はＮＴＳＣとする（ステップＳ２００ａ）。
【００５１】
アンテナ部２１から地上デジタル放送の信号を受信した映像音声信号受信装置１０は、チューナ部２２で信号のチューニングを行い、希望のチャンネルの地上デジタル放送の信号のみを抽出する。
【００５２】
チューナ部２２で抽出した地上デジタル放送の信号は復調部２３でデジタル信号から復調し、復調した信号を映像音声信号処理部２４にて映像信号と音声信号に分離し、各々処理を行う（ステップＳ２０１ａ）。
【００５３】
システム制御部６０ｂは、ステップＳ２０１ａの処理内容を管理し、地上デジタル放送で受信している映像音声信号の情報を取得する（ステップＳ２０２ａ）。
【００５４】
ここで、システム制御部６０ｂは、このとき（現在）映像信号処理している映像信号の映像フォーマットを検出してＥＤＩＤ格納用メモリ部３３ｂへ書き込む。すなわち、複数ＥＤＩＤ格納用メモリ部９０に格納されている複数あるＥＤＩＤの中から、対応映像フォーマット（すなわち、映像音声信号受信装置で受信処理が可能であり、ディスプレイに表示が可能な映像フォーマット）のうち、ＮＴＳＣがＰＡＬよりも優先順位が高いＥＤＩＤを読み出し、該当のＥＤＩＤをＥＤＩＤ格納用メモリ部３３ｂへ書き込む（ステップＳ２０３ａ）。
【００５５】
映像音声信号処理部２４にて処理された映像信号は、後段の映像合成部４０へ伝送される。映像合成部４０は、システム制御部６０ｂの制御により、地上デジタル放送の映像を１画面表示のＮＴＳＣの映像として生成し、ディスプレイ部で表示する（ステップＳ２０４ａ）。
【００５６】
ステップＳ２０４ａの処理の後に、ユーザによりＮＴＳＣおよびＰＡＬの両映像フォーマットを出力可能な映像音声信号送信装置８０が接続され、更にユーザによりディスプレイの表示が１画面表示から２画面表示に切り替えられる（ステップＳ２０５ａ）。
【００５７】
このとき、映像音声信号送信装置８０は受信仕様伝送ライン７２を介して、ＥＤＩＤ格納用メモリ部３３ｂからＥＤＩＤを読み出す（ステップＳ２０６ａ）。
【００５８】
ステップＳ２０６ａにて映像音声信号送信装置８０がＥＤＩＤを読み出すと、映像音声信号送信装置８０は、読み出したＥＤＩＤから、映像音声信号受信装置１０の受信仕様を
確認する。
【００５９】
映像音声信号送信装置８０は、自身が出力可能な映像音声フォーマットの中から、映像音声信号受信装置１０が推奨する最も順位の高い映像音声信号を優先的に選択し、自身の出力する映像音声信号として確定する（ステップＳ２０７ａ）。
【００６０】
この場合、ＥＤＩＤでＮＴＳＣの映像フォーマットの優先順位が高いため、映像音声信号送信装置８０は、ＨＤＭＩ出力する映像フォーマットをＮＴＳＣに確定し、映像音声信号伝送ライン７１を介して映像音声信号受信装置１０へ出力する（ステップＳ２０８ａ）。
【００６１】
映像音声信号受信装置１０は、映像音声信号送信装置８０から出力されたＨＤＭＩ信号を、映像音声信号伝送ライン７１を介して映像音声信号受信部３１で受信する。受信したＨＤＭＩ信号は、映像音声信号処理部３２で映像音声信号を分離され、映像音声信号処理部３２にて各々処理される。処理された映像は映像合成部４０へ伝送される（ステップＳ２０９ａ）。
【００６２】
システム制御部６０は、ステップＳ２０９ａの処理内容を管理し、ＨＤＭＩ入力の映像音声信号の情報を取得する。ＨＤＭＩ入力の映像フォーマットはＮＴＳＣであることを検出する（ステップＳ２１０ａ）。
【００６３】
映像合成部４０では、システム制御部６０ｂに制御され、地上デジタル放送とＨＤＭＩ信号の映像を合成する。このとき、地上デジタル放送とＨＤＭＩ信号の映像フォーマットが共にＮＴＳＣであるため、設定が一致し、２つの映像を２画面表示の映像に合成することが可能となる（ステップＳ２１１ａ）。
【００６４】
合成された映像はディスプレイ部５０へ伝送され、２画面表示が開始される。このとき、２つの映像は２画面表示の映像として合成されているため、地上デジタル放送の映像とＨＤＭＩ信号の映像は共にディスプレイ上に表示される。
【００６５】
次に、地上デジタル放送の映像フォーマットが特にＰＡＬの場合の動作フローを図３のフローチャートを用いて説明する。
【００６６】
アンテナ部２１で、ＰＡＬの映像フォーマットの地上デジタル放送の映像音声信号を受信する（ステップＳ２００ｂ）。
【００６７】
受信した地上デジタル放送の信号を第１の映像音声信号処理部２４で分離処理する（ステップＳ２０１ｂ）。
【００６８】
システム制御部６０ｂは、ステップＳ２０１ｂの処理で第１の映像音声信号処理部２４から地上デジタル放送の映像フォーマットがＰＡＬであるという情報を取得し（ステップＳ２０２ｂ）、複数ＥＤＩＤ格納用メモリ部９０からＰＡＬ優先のＥＤＩＤを読み出し、ＥＤＩＤ管理用ライン７３を介してＥＤＩＤ格納用メモリ部３３ｂへ書き込みを行う（ステップＳ２０３ｂ）。
【００６９】
また、映像合成部４０では、地上デジタル放送の映像を１画面表示の映像として生成し、ＰＡＬの映像をディスプレイ部５０に表示させる（ステップＳ２０４ｂ）。
ここで、ユーザによりＮＴＳＣおよびＰＡＬの両映像フォーマットを出力可能な映像音声信号送信装置８０が接続され、更にユーザによりディスプレイの表示を１画面表示から２画面表示に切り替える（ステップＳ２０５ｂ）。
【００７０】
映像音声信号送信装置８０は、映像音声信号受信装置のＥＤＩＤをＤＤＣライン７２を介して読み出し（ステップＳ２０６ｂ）、ＥＤＩＤの優先映像フォーマットから出力する映像フォーマットを確定する（ステップＳ２０７ｂ）。
【００７１】
本フローチャートにおいて、ＥＤＩＤの優先映像フォーマットはＰＡＬであるため、出力する映像フォーマットとしてＰＡＬを選択し、ＴＭＤＳライン７１へ出力する（ステップＳ２０８ｂ）。
【００７２】
第２の映像音声信号処理部３２では、受信した映像音声信号を分離処理するが（ステップＳ２０９ｂ）、このときシステム制御部６０ｂでは映像音声信号送信装置８０から受信している映像音声信号の映像フォーマットがＰＡＬであることを検出する（ステップＳ２１０ｂ）。
【００７３】
映像合成部４０では、システム制御部６０ｂに制御され、地上デジタル放送とＨＤＭＩ信号の映像を合成する。このとき、地上デジタル放送とＨＤＭＩ信号の映像フォーマットが共にＰＡＬであるため、設定が一致し、２つの映像を２画面表示の映像に合成することが可能となる（ステップＳ２１１ａ）。
【００７４】
合成された映像はディスプレイ部５０へ伝送され、２画面表示が開始される。このとき、２つの映像は２画面表示の映像として合成されているため、地上デジタル放送の映像とＨＤＭＩ信号の映像は共にディスプレイ上に表示される。
【００７５】
以上のように本実施の形態では、従来は固定であったＥＤＩＤ格納用メモリ部に格納するＥＤＩＤを、先行出力の映像フォーマットに応じて、対応映像フォーマットの優先順位を入れ替えたＥＤＩＤ（例えば、先行出力の映像フォーマットがＮＴＳＣならばＮＴＳＣの優先順位がＰＡＬよりも高いＥＤＩＤ、あるいは先行出力の映像フォーマットがＰＡＬならばＰＡＬの優先順位がＮＴＳＣよりも高いＥＤＩＤ）へ変更することにより、映像音声信号送信装置８０が出力する映像フォーマットを先行出力している映像フォーマットに合わせて出力させることが可能となる。
【００７６】
これにより、２画面表示する映像フォーマットをユーザによる操作不要で一致させることが可能となり、ＮＴＳＣとＰＡＬのどちらの映像フォーマットを先行出力している場合においても、２つの映像を２画面表示で観賞することが可能となる。
【００７７】
本実施の形態は特に、複数種類の映像フォーマットを出力する映像音声信号送信装置との接続が想定され、グローバル展開される複数種類の映像フォーマットに対応した映像音声受信装置であり、かつ２画面表示が有用なシステム、例えば車載映像音声伝送システムにおいて有用である。
【００７８】
なお、本発明は上述の内容に限定されず、実施段階ではその要旨を逸脱しない範囲で構成要素を変化して具体化することができる。
【００７９】
例えば、本実施の形態においては、２画面表示を行う映像音声信号として、地上デジタル放送と外部の映像音声信号送信装置から受信した映像音声信号の組み合わせを想定して記載したが、本組み合わせに限定されるものではない。たとえば、地上デジタル放送の代わりに、内蔵の映像音声信号再生装置（たとえば、内蔵されたＢＤ（Ｂｌｕ−ｒａｙ  Ｄｉｓｃ）デッキや、内蔵されたＤＶＤ（Ｄｉｇｉｔａｌ  Ｖｅｒｓａｔｉｌｅ  Ｄｉｓｃ）デッキ））でも同様である。
【００８０】
また、たとえば、２系統以上の外部機器との接続部（ただし、２系統以上の外部機器との接続部のうち、少なくとも１系統はＨＤＭＩ規格に準拠した接続部）を有し、それらから受信される映像を２画面表示することが可能な映像音声信号受信装置も同様である。
【００８１】
また、本実施の形態においては、発明の効果を得られる範囲で、ここに開示されている複数の構成要素を適宜に組み合わせることにより、発明を形成することができる。
【００８２】
また、本実施の形態において、先行出力の映像フォーマットがＮＴＳＣのときに、ＰＡＬの映像フォーマットの映像信号のみが出力される映像音声信号送信装置を接続した場合は、ＥＤＩＤでＮＴＳＣの優先順位がＰＡＬよりも高位であったとしても、映像音声信号送信装置からはＰＡＬの映像信号が送信される。
【００８３】
この場合、システム制御部６０ｂは、ＥＤＩＤの優先順位で高位の映像フォーマット（すなわちＮＴＳＣ）と、実際に受信しているＨＤＭＩ入力の映像フォーマット(すなわちＰＡＬ)とが異なることを検出し、接続されている映像音声信号送信装置が出力可能な映像フォーマットがＰＡＬのみであると判断する。
【００８４】
システム制御部６０ｂは前記判断後に、映像音声信号送信装置が出力している映像フォーマット（すなわちＰＡＬ）と、先行出力している映像音声信号の映像フォーマットとを一致させて２画面表示で両映像の観賞を可能とするために、先行出力している映像音声信号の映像フォーマットをＮＴＳＣからＰＡＬに切り替える制御を行うことにより、２つの映像フォーマットを共にＰＡＬとし、２つの映像を２画面表示することができる。
【００８５】
また、２画面表示に切り替わる条件としてユーザ操作としたが、本条件に限定されるものではない。たとえば２画面表示に切り替える条件を映像音声信号送信装置が接続されたことの検出とし、この検出後にシステム制御部６０ｂが自動的に２画面表示に切り替えるという方法でも良いというものである。
【産業上の利用可能性】
【００８６】
以上のように本発明に係る映像音声伝送システムおよび映像音声信号受信装置は、複数種類の映像フォーマットを出力する映像音声信号送信装置との接続が想定され、かつ２画面同時表示を多く用いられるシステムに好適である。
【符号の説明】
【００８７】
１０  映像音声信号受信装置
２０  地上デジタル放送処理部
２１  アンテナ部
２２  チューナ部
２３  信号復調部
２４  映像音声信号処理部
３０  ＨＤＭＩ入力信号処理部
３１  映像音声信号受信部
３２  映像音声信号処理部
３３ｂ  ＥＤＩＤ格納用メモリ部
４０  映像合成部
５０  ディスプレイ部
６０ｂ  システム制御部
７１  ＴＭＤＳライン
７２  ＤＤＣライン
７３  ＥＤＩＤ管理用ライン
８０  映像音声信号送信装置
９０  複数ＥＤＩＤ格納用メモリ部
【図１】
0005479140.tif 000002
【図２】
0005479140.tif 000003
【図３】
0005479140.tif 000004